(57)【特許請求の範囲】
【請求項１】
窓枠と、
水平な回転軸により前記窓枠に対して回転自在に支持され、自重により傾斜して開いた状態が維持される障子と、
を有し、
前記障子は、当該障子の面内方向において前記回転軸と交差する方向に移動させて前記障子に固定可能な錘を有し、
前記錘は、前記障子において前記回転軸より上側の部位または下側の部位に設けられ、
前記障子は、前記上側の部位または前記下側の部位のうちの前記錘が設けられている側の部位が室内側に突出して傾斜して開いた状態が維持されることを特徴とする回転窓。
【請求項２】
請求項１に記載の回転窓であって、
前記障子は、面材と、前記面材を囲む左右一対の縦框及び上下一対の横框と、を有し、
前記縦框に、前記錘を前記障子に沿って案内する案内部が設けられていることを特徴する回転窓。
【請求項３】
請求項２に記載の回転窓であって、
前記横框にそれぞれ設けられ、前記窓枠と係合して施錠される係合部と、
上下の前記係合部を前記障子の側部にて連結し、上下に移動することにより上下の前記係合部を連動させる連動バーと、を備え、
前記一対の縦框は、同一の断面形状をなす押出形材であり、
一方の前記縦框の前記案内部により前記錘が案内され、他方の前記縦框の前記案内部により前記連動バーが案内されることを特徴とする回転窓。
【請求項４】
請求項２または請求項３に記載の回転窓であって、
前記回転軸は、前記案内部により前記錘が移動する軌道の延長上に位置しており、
前記錘は、前記回転軸より上側に設けられていることを特徴とする回転窓。
【請求項５】
請求項２乃至請求項４のいずれかに記載の回転窓であって、
前記錘には、前記縦框の見付け面に固定可能な框固定部材が取り付けられていることを特徴とする回転窓。
【請求項６】
請求項５に記載の回転窓であって、
前記縦框は、前記障子の外周側に張り出す張出部を有し、
前記框固定部材は、見込み方向において前記張出部の一方側から他方側に回り込むように弾性変形可能に屈曲し、
前記框固定部材の弾性により前記張出部を前記一方側と前記他方側とから押圧して前記縦框を挟持することにより前記錘を所定の位置に保持することを特徴とする回転窓。
【発明の詳細な説明】
【技術分野】
【０００１】
本発明は、水平な回転軸により窓枠に回転自在に支持されて開閉可能な障子を開いた状態で維持可能な回転窓に関する。
【背景技術】
【０００２】
水平な回転軸により窓枠に回転自在に支持されて開閉可能な障子を開いた状態で維持可能な回転窓としては、例えば、窓枠に納まる障子が窓枠から外部へ向かって辷り出して開く自然風力換気窓が知られている（例えば、特許文献１参照）。
【０００３】
この自然風力換気窓の障子は、中空部を有する框が四方組みされており、上框及び下框には、障子の重量と障子に設けた捨て錘の重量とに基づく障子の重心を見込み方向における室内側へ移動させる調整用錘が設けられている。この調整用錘は、長さ、断面を調節することにより重量が調整される。
【先行技術文献】
【特許文献】
【０００４】
【特許文献１】特許第３９１４８４３号公報
【発明の概要】
【発明が解決しようとする課題】
【０００５】
上記のような調整用錘は、上框及び下框の中空部内に設けられているので、上框及び下框の中空部という狭い空間の中でしか移動させることができない。このため、障子の重心位置を見込み方向に移動させる場合には、上框または下框の長手方向に長さの長い調整錘が必要となり、障子の総重量が大きくなるとともにコストが上昇する。また、互いにサイズが異なる複数の調整用錘を付け替える、或いは、複数の同一の調整用錘の数を異ならせることにより重心位置を調整することも考えられるが、四方組みされた框を取り外して調整用錘を付け替えなければならず、作業が繁雑であるという課題がある。また、障子の見込み方向に突出させて錘を設ける方法もあるが、意匠性が損なわれるという課題がある。
【０００６】
本発明は、かかる課題に鑑みてなされたものであり、その目的とするところは、意匠性に優れ障子の重量バランスを容易に調整することが可能な回転窓を提供することにある。
【課題を解決するための手段】
【０００７】
かかる目的を達成するために本発明の回転窓は、窓枠と、水平な回転軸により前記窓枠に対して回転自在に支持され、自重により傾斜して開いた状態が維持される障子と、を有し、前記障子は、当該障子の面内方向において前記回転軸と交差する方向に移動させて前記障子に固定可能な錘を有し、前記錘は、前記障子において前記回転軸より上側の部位または下側の部位に設けられ、前記障子は、前記上側の部位または前記下側の部位のうちの前記錘が設けられている側の部位が室内側に突出して傾斜して開いた状態が維持されることである。
【０００８】
このような回転窓によれば、窓枠に対して回転自在に支持されて自重により傾斜して開いた状態が維持される障子に設けられた錘は、障子の面内方向において回転軸と交差する方向に移動させて固定可能なので、障子が傾斜したときの錘の位置により、錘を含めた障子の重心位置を変更することが可能である。このため、錘を障子の面内方向に移動させて障子に固定することにより容易に障子の傾斜量や開閉速度等を調整することが可能である。このとき、錘は障子の面内方向に移動されるので、錘を障子から突出させること無く錘を移動させることが可能である。また、例えば、複数の錘を追加または取り除くことにより重量を変更する場合と比較して、より正確に障子の傾斜量や開閉速度等を設定することが可能である。このため、意匠性に優れ障子の重量バランスを容易に変更することが可能な回転窓を提供することが可能である。
【０００９】
また、障子において回転軸より上側の部位または下側の部位のうちの錘が設けられている側が室内側に突出して障子が傾斜するので、室内において錘を移動させることが可能である。このため、錘を移動させて固定する作業を室内にて行えるので、障子の傾斜量や開閉速度等を容易に調整することが可能である。
【００１０】
かかる回転窓であって、前記障子は、面材と、前記面材を囲む左右一対の縦框及び上下一対の横框と、を有し、前記縦框に、前記錘を前記障子に沿って案内する案内部が設けられていることが望ましい。
このような回転窓によれば、障子を構成する縦框に案内部が設けられているので、錘を障子の面内方向に沿って確実に移動させることが可能である。
【００１１】
かかる回転窓であって、前記横框にそれぞれ設けられ、前記窓枠と係合して施錠される係合部と、上下の前記係合部を前記障子の側部にて連結し、上下に移動することにより上下の前記係合部を連動させる連動バーと、を備え、前記一対の縦框は、同一の断面形状をなす押出形材であり、一方の前記縦框の前記案内部により前記錘が案内され、他方の前記縦框の前記案内部により前記連動バーが案内されることが望ましい。
【００１２】
このような回転窓によれば、一対の縦框は、同一の断面形状をなす押出形材なので、各々の縦框はそれぞれ案内部を備えている。このため、錘を移動させるための案内部を別途形成することなく、一方の縦框にて連動バーの案内部として用いる部位に相当する、他の縦框の案内部を錘用の案内部として用いることが可能である。
【００１３】
かかる回転窓であって、前記錘は、前記障子において前記回転軸より上側の部位または下側の部位に設けられ、前記障子は、前記上側の部位または前記下側の部位のうちの前記錘が設けられている側の部位が室外側に突出して傾斜して開いた状態が維持されることが望ましい。
このような回転窓によれば、障子において回転軸より上側の部位または下側の部位のうちの錘が設けられている側が室外側に突出して障子が傾斜するので、室外において錘を移動させることが可能である。このため、室内側に作業スペースが確保できない、または、室内側から回転窓に近づきにくい場合であっても、室外側にて錘を移動させて固定する作業を行うことが可能である。
【００１４】
かかる回転窓であって、前記回転軸は、前記案内部により前記錘が移動する軌道の延長上に位置しており、前記錘は、前記回転軸より上側に設けられていることが望ましい。
このような回転窓によれば、錘が案内部に案内されて移動する軌道の延長上に位置する回転軸より上側に錘が設けられているので、回転軸より上側で移動させた錘から手を離したとしても、錘が回転軸に規制されるので、誤って錘を落下させることを防止することが可能である。
【００１５】
かかる回転窓であって、前記錘には、前記縦框の見付け面に固定可能な框固定部材が取り付けられていることが望ましい。
このような回転窓によれば、框固定部材により、錘を縦框の見付け面に固定可能なので、壁等の近傍に設けられて側方から工具等が使用できない回転窓であっても、框固定部材により縦框に錘を容易に固定することが可能である。
【００１６】
かかる回転窓であって、前記縦框は、前記障子の外周側に張り出す張出部を有し、前記框固定部材は、見込み方向において前記張出部の一方側から他方側に回り込むように弾性変形可能に屈曲し、前記框固定部材の弾性により前記張出部を前記一方側と前記他方側とから押圧して前記縦框を挟持することにより前記錘を所定の位置に保持することが望ましい。
このような回転窓によれば、錘を縦框に固定することなく框固定部材の弾性により保持した状態で錘の位置を調節することが可能である。また、框固定部材を縦框に固定する際に、框固定部材及び錘を片手で押さえる必要がないので、容易に框固定部材を縦框に固定することが可能である。
【発明の効果】
【００１７】
本発明によれば、意匠性に優れ障子の重量バランスを容易に変更することが可能な回転窓を提供することが可能である。
【図面の簡単な説明】
【００１８】
【図１】本発明の第１実施形態に係る回転窓を示す外観姿図である。
【図２】図１におけるＡ−Ａ断面図である。
【図３】図１におけるＢ−Ｂ断面図である。
【図４】障子に設けられた施錠機構を示す図である。
【図５】第１実施形態に係る回転窓を示す縦断面図である。
【図６】回転窓の閉鎖状態における軸支部を示す図である。
【図７】第１実施形態に係る回転窓の軸支構造を説明するための斜視図である。
【図８】縦框に設けられる錘と錘による調整方法を示す図である。
【図９】回動軸と錘の軌道とを示す図である。
【図１０】第２実施形態に係る回転窓の構成を説明する斜視図である。
【図１１】第２実施形態に係る回転窓を示す横断面図である。
【図１２】框固定部材の変形例を示す横断面図である。
【発明を実施するための形態】
【００１９】
以下、本発明の第１実施形態を図面に基づいて説明する。
第１実施形態は、図１〜図５に示すように、２つの回転窓である横軸回転窓２が左右に配置されて構成される連窓１である。
【００２０】
連窓１は、左右の縦枠３、４と、縦枠３、４の上端間および下端間を連結する上枠５、下枠６と、図１における連窓１の左右方向の中間位置で上枠５、下枠６間に配置された方立７とを備えている。左右の縦枠３、４、上枠５、下枠６および方立７は、アルミ押出形材によってそれぞれ形成されている。
【００２１】
従って、室外側から見て左側の縦枠３と、上枠５および下枠６と、方立（縦枠）７とで、左側の横軸回転窓２の窓枠１０が構成される。また、室外側から見て右側の縦枠４と、上枠５および下枠６と、方立（縦枠）７とで、右側の横軸回転窓２の窓枠１０が構成される。図２、図３に示すように、各窓枠１０には、横軸回転窓２の障子２０がヒンジ３０（３０Ａ、３０Ｂ）を介して回転自在、かつ、窓枠１０により形成される開口１０ａを閉止可能に軸支され、ヒンジ３０よりも室外側の位置にはヒンジカバー４０（４０Ａ、４０Ｂ）が配置され、ヒンジ３０よりも室内側の位置には水密装置７０（７０Ａ、７０Ｂ）が配置されている。
【００２２】
各横軸回転窓２には、図４に示すように、障子２０を閉じた状態で上枠５および下枠６と障子２０とが面内方向に対向する位置に施錠機構８が設けられている。上枠５側の施錠機構８は、上枠５から下枠６側に向かって突出されたピン８１と、障子２０の上部に左右方向にスライド可能に設けられ、スライドしてピン８１と係合または係合を解除可能な係合部としての施錠部８２と、障子２０において上枠５および下枠６と対向する面に設けられ施錠部８２をスライドさせる施錠プレート８３と、を有している。
【００２３】
下枠６側の施錠機構８は、障子２０の下部に左右方向にスライド可能に設けられた施錠プレート８３と、施錠プレート８３から下枠６側に向かって突出された係合部としてのピン８１と、下枠６に設けられ施錠プレート８３のスライドにより移動されるピン８１と係合または係合を解除可能な施錠部８２と、を有している。上下の施錠プレート８３は、障子２０の側部に設けられて上下方向に移動可能な連動バー８４に連結部材８５を介してして連結されている。
【００２４】
施錠機構８は、連動バー８４を上方に移動すると上下の施錠プレート８３がスライドして施錠部８２とピン８１と係合して施錠され、連動バー８４を下方に移動すると上下の施錠プレート８３がスライドして施錠部８２とピン８１との係合が解除されて解錠されるように構成されている。
【００２５】
縦枠３は、図２〜７に示すように、上枠５から下枠６まで延びた縦材本体３Ａと、縦材本体３Ａの上部に取り付けられた上縦材３Ｂと、縦材本体３Ａの下部に取り付けられた下縦材３Ｃとを備えて構成されている。上縦材３Ｂおよび下縦材３Ｃは、縦材本体３Ａよりも縦框２１、２２側に配置されている。上縦材３Ｂと下縦材３Ｃとは上下方向に互いに間隔を隔てて配置されている。
【００２６】
上縦材３Ｂは、見込み片部３０１と、上側室外見付け片部３０２と、上側室内見付け片部３０３とを有している。上側室外見付け片部３０２には、先端より突出させて水密材１１が設けられている。上側室内見付け片部３０３の室内面には、水密性能および気密性能を備える第一気密材１２Ａが設けられている。
【００２７】
下縦材３Ｃは、見込み片部３０４と、下側室内見付け片部３０５とを有している。下側室内見付け片部３０５の室外面には、水密性能および気密性能を備える第二気密材１２Ｂが設けられている。下側室内見付け片部３０５の上端部には水密装置７０を取り付けるため凹部が形成されている。下側室内見付け片部３０５は、上側室内見付け片部３０３よりも室内側に位置している。
【００２８】
なお、縦枠４は、縦枠３の左右を反転させた構成となっており、方立７は、方立本体７ａの左右方向における両側に、縦枠３または縦枠４と対向するように上縦材３Ｂ、下縦材３Ｃが取り付けられて構成されている。
【００２９】
上枠５は、その室外部分に水密材１１が設けられ、その室内部分に気密材１２が設けられている。下枠６の室内部分には、気密材１２が設けられている。上枠５に設けられた気密材１２は、上側室内見付け片部３０３に装着された第一気密材１２Ａと連続して配置されている。下枠６に設けられた気密材１２は、下側室内見付け片部３０５に装着された第二気密材１２Ｂと連続して配置されている。上枠５および下枠６にそれぞれ装着された気密材１２は、障子２０の閉鎖状態で後述する上框２３および下框２４にそれぞれ当接する。
【００３０】
各障子２０は、開放時にヒンジ３０の回転軸３４を軸として下端側が室外側に移動し、上端側が室内側に移動して傾斜するように構成されている。各障子２０は、同一構造の障子２０であり、同一断面形状のアルミ押出形材によって形成された左右一対の縦框２１、２２と、一対の横框としての上框２３、下框２４を枠組みし、その内部に面材である単板ガラス２５が組み込まれて構成され、障子２０の外周部に前述した施錠機構８のピン８１、施錠部８２、施錠プレート８３、連動バー８４および連結部材８５と、左右の縦框２１、２２の一方に錘２６と、が設けられている。
【００３１】
各縦框２１は、見込み片部２１１と、面材受け片部２１２と、室内側見付け片部２１５とを有する框本体２１０と、単板ガラス２５を支えるための押縁２１３と、面積拡張部材としての下側室外見付け片材２１４と、を有している。
【００３２】
見込み片部２１１において、枠組みされた際に外周側となる面には、見込み片部２１１において見込み方向の中央から外周側に突出し先端が室内側に突出された室外フック部２１１ａを有する中央片２１１ｂと、室内側見付け片部２１５の室外フック部２１１ａと対向する位置から室外側に突出された室内フック部２１５ａと、を有している。すなわち、室外フック部２１１ａと室内フック部２１５ａとは、見込み片部２１１の外周側に僅かに間隔を隔てた位置に、見込み方向において互いに間隔を隔てて対向している。そして、見込み片部２１１、中央片２１１ｂの室外フック部２１１ａ、室内フック部２１５ａ、室内側見付け片部２１５によりほぼ囲まれた外周空間が形成されている。
【００３３】
図２に示すように、各横軸回転窓２の方立７側の縦框２１、２２に設けられた外周空間には、前述した施錠機構８の連動バー８４が配置され、連動バー８４は、上下方向に移動する際に、外周空間を形成する部位により案内される。また、各横軸回転窓２の方立とは反対側の縦框２１、２２に設けられた外周空間には、図８（ａ）に示すように、連動バー８４と同一の断面形状を有し錘２６に取り付けられた錘固定部材２７が配置され、錘固定部材２７は、外周空間を形成する部位により案内されて錘２６と共に縦框２１、２２に沿って上下に移動し縦框２１、２２に固定される。このため、外周空間を形成する部位が錘２６を障子２０に沿って案内する案内部に相当する。
【００３４】
面材受け片部２１２は、単板ガラス２５の室外面を受けており、押縁２１３は、単板ガラス２５の室内面を支えている。下側室外見付け片材２１４は、見込み片部２１１にビス９により取り付けられており、下側室外見付け片材２１４および室内側見付け片部２１５は、見込み片部２１１から縦枠３、縦枠４及び方立７側にそれぞれ延出している。室内側見付け片部２１５は、ヒンジ３０よりも室内側に位置している。下側室外見付け片材２１４には、先端から突出させて水密材１１が設けられている。室内側見付け片部２１５は、縦框２１の上端から下端まで延びて形成されている。なお、各縦框２２は、縦框２１の左右を反転させた構成となっている。
【００３５】
アルミ押出形材によって形成された左右の縦框２１、２２には、下側室外見付け片材２１４が取り付けられているので、当該障子２０を閉じたときに室外に臨む側の面２０ａの面積が、ヒンジ３０の回転軸３４より下側の部位が上側の部位より下側室外見付け片材２１４の分だけ広く形成されている。
【００３６】
上側室外見付け片部３０２と下側室外見付け片材２１４との間には、ヒンジ３０の一部を配置可能な空間が形成されている。見込み片部２１１には、障子２０の閉鎖状態で上側室外見付け片部３０２に装着された水密材１１が当接する水密材受けが形成されている。見込み片部３０４には、障子２０の閉鎖状態で下側室外見付け片材２１４に装着された水密材１１が当接する水密材受けが形成されている。
【００３７】
障子２０の閉鎖状態では、上側室内見付け片部３０３は、室内側見付け片部２１５の上部室外側に沿って位置し、下側室内見付け片部３０５は、室内側見付け片部２１５の下部室内側に沿って位置する。そして、第一気密材１２Ａは、室内側見付け片部２１５の室外面に当接し、第二気密材１２Ｂは、室内側見付け片部２１５の室内面に当接した状態となる。
【００３８】
上側室外見付け片部３０２および下側室外見付け片材２１４間の空間（室外側の空間）には、ヒンジカバー４０が設置される。また、上側室内見付け片部３０３および下側室内見付け片部３０５間の空間（室内側の空間）には、水密装置７０が設置される。
【００３９】
ヒンジ３０（３０Ａ、３０Ｂ）は、障子２０の左右にそれぞれ配置されている。すなわち、図２に示すように、ヒンジ３０（３０Ａ、３０Ｂ）は、縦枠３と縦框２１との間、縦框２２と方立７との間、方立７と縦框２１との間、縦框２２と縦枠４との間にそれぞれ配置される。これらのヒンジ３０の室外側は、ヒンジカバー４０によって覆われ、室内側は水密装置７０によって覆われている。
【００４０】
縦枠３および縦框２１間と方立７および縦框２１間とにそれぞれ配置されたヒンジ３０Ａの構成は同一である。縦框２２および方立７間と縦框２２および縦枠４間とにそれぞれ配置されたヒンジ３０Ｂの構成は同一であるとともに、ヒンジ３０Ａの左右を反転させた構成となっている。このため、以下、縦枠３および縦框２１間に配置されるヒンジ３０Ａについて主に説明する。
【００４１】
ヒンジ３０Ａは、軸部材３１と、軸部材３１に回転自在に連結される軸受部材３５とを有している。
そして、軸部材３１は、窓枠１０または障子２０の一方に取り付けられ、軸受部材３５は他方に取り付けられる。第１実施形態においては、軸部材３１が縦枠３に取り付けられ、軸受部材３５が縦框２１の見込み片部２１１に取り付けられている。
【００４２】
軸部材３１は、図６、図７に示す複数のビス１３によって上縦材３Ｂの見込み片部３０１にビス止めされる取付部３２と、取付部３２の下端が円板状に膨出して形成された軸補強部３３と、軸補強部３３の中心に設けられた水平な回転軸３４とを有して構成されている。第１実施形態においては、回転軸３４は、図９に示すように、縦框２１、２２において、錘２６が移動する軌道Ｌの延長上に位置するように配置されている。
【００４３】
軸受部材３５は、複数のビス１３によって縦框２１の見込み片部２１１にビス止めされる取付部３６と、取付部３６の上端が円環状に膨出して形成された軸受部３７とを有して構成されている。軸受部３７の孔には、回転軸３４が回転自在に挿入されている。
このヒンジ３０Ａによる障子２０の見込み方向における軸支位置（回転軸３４の軸心位置）は、取付部３２、３６の縦枠３、縦框２１に対するネジ止め位置の調整によって所定位置に設定可能である。ここで、障子２０の重心位置１７は、単板ガラス２５の高さ方向のほぼ中心位置に設定されている。障子２０の重量の大半は、単板ガラス２５の重量であるため、単板ガラス２５の高さ方向の中心位置Ｃが、障子２０の高さ方向のほぼ重心位置１７に一致する。また、各軸支位置１５の高さ方向の位置は重心位置１７と同じである。
【００４４】
第１実施形態の障子２０は、単板ガラス２５が各框２１〜２４によって室外側寄りに配置されているため、重心位置１７は見込み方向において室外側寄りに偏心している。
この重心位置１７に対応して、各ヒンジ３０は、見込み片部３０１、２１１に対して室外側寄りの位置にネジ止めされ、ヒンジ３０Ａによる障子２０の軸支位置が重心位置１７よりも室外側の軸支位置１５に設定されている。この場合、軸補強部３３および軸受部３７の一部は、上側室外見付け片部３０２および下側室外見付け片材２１４との間から室外側に突出して位置する。
【００４５】
障子２０の軸支位置１５が重心位置１７に対して室外側の位置に設定されることで、単板ガラス２５が鉛直に配置された状態の障子２０には、その自重に基づき、上端側が室内側に移動する方向の回転モーメントが発生する。この回転モーメントにより、障子２０は図３に実線で示す閉鎖位置から二点鎖線で示す開放位置に向かって自然に回転移動し、バランスがとれたところで障子２０が開放された状態が維持される。このとき、障子２０は、軸支位置より下側の部位が室外側に突出して傾斜した状態が維持される。第１実施形態においては、障子２０が縦枠３、４に対して４５度に傾斜して開放状態が維持されるように構成されている。
【００４６】
横軸回転窓２は、設計時に重心位置を所定の位置に設定しておくことにより、無風状態での障子２０の傾斜角度（傾斜量）を設定しておくことが可能である。ところが、窓枠１０及び障子２０の各部材の製造精度、加工精度、組み立て精度のばらつきなどにより、個々の横軸回転窓２毎に互いの傾斜量が僅かに相違する場合がある。特に、第１実施形態のように、連窓１の横軸回転窓２や単体の横軸回転窓２であっても横方向に並べて取り付けられる場合には、隣り合う横軸回転窓２の障子２０の傾斜量が僅かに相違すると美観が損なわれる虞がある。このため、第１実施形態の横軸回転窓２には、障子２０に縦框２１、２２に設けられた外周空間を形成する部位に案内されて障子２０に沿って移動する錘２６が設けられている。
【００４７】
第１実施形態の回転窓２によれば、窓枠１０に対して回転自在に支持されて自重により傾斜して開いた状態が維持される障子２０に設けられた錘２６は、障子２０の縦框２１、２２に沿って移動可能なので、上述したように障子２０が傾斜したときの錘２６の位置により、錘２６を含めた障子２０の重心位置を変更することが可能である。具体的には、錘２６が障子２０の回転軸３４より上側に設けられているので、連窓１を現場に取り付けた状態で、障子２０の傾斜量を大きくすべきとき、障子２０が開く速度を速くすべきとき、障子２０が閉じる速度を遅くすべきときには、図８（ｂ）に示すように、錘２６を上方向にすなわち回転軸３４から遠ざける方向に移動させる。また、障子２０の傾斜量を小さくすべきとき、障子２０が開く速度を遅くすべきとき、障子２０が閉じる速度を早くすべきときには、図８（ｃ）に示すように、錘２６を下方向すなわち回転軸３４に近づく方向に移動させる。このように、錘２６を障子２０の面内方向において回転軸３４と直交する方向に移動させて障子２０に固定することにより容易に障子２０の傾斜量等を調整することが可能である。このとき、錘２６は障子２０の縦框２１、２２も設けられた室外フック部２１１ａと室内フック部２１５ａとに沿って移動されるので、錘２６を障子２０から突出させること無く錘２６を移動させることが可能である。
【００４８】
また、例えば、複数の錘２６を追加または取り除くことにより重量を変更する場合と比較して、重量バランスを連連続的に変化させることができるので、より正確に傾斜量や障子の開閉速度等を設定することが可能である。このため、意匠性に優れ障子２０の重量バランスを容易に変更することが可能な回転窓２を提供することが可能である。
【００４９】
また、障子２０を構成する縦框２１、２２に設けられている見込み片部２１１、中央片２１１ｂの室外フック部２１１ａ、室内フック部２１５ａ、室内側見付け片部２１５により錘２６が案内されて移動するので、錘２６を障子２０に沿って確実に移動させることが可能である。
【００５０】
また、左右の縦框２１、２２は、同一の断面形状をなすアルミ押出形材なので、各々の縦框２１、２２はそれぞれ見込み片部２１１、中央片２１１ｂの室外フック部２１１ａ、室内フック部２１５ａ、室内側見付け片部２１５を備えている。このため、錘２６を案内する部位を別途形成することなく、一方の縦框２１、２２にて連動バー８４の案内部として用いる部位に相当する、他の縦框２１、２２の見込み片部２１１、中央片２１１ｂの室外フック部２１１ａ、室内フック部２１５ａ、室内側見付け片部２１５を錘２６用の案内部として用いることが可能である。
【００５１】
また、第１実施形態の横軸回転窓２のように、障子２０の回転軸３４より下側の部位が室外側に突出して傾斜する場合には、障子２０における回転軸３４より上側に錘２６を設けて調整できるような構成にすると、室内において障子２０の傾斜量や障子の開閉速度等を調整することができるので、施工性が良い。また、縦框２１、２２の長手方向においてほぼ中央に位置する回転軸３４は、錘２６が外周空間を形成する部位に案内されて移動する軌道Ｌの延長上に設けられているので、障子２０における回転軸３４より上側にて錘２６を調整する構成とすると、錘２６の位置調整時に外周空間を形成する部位に案内された錘２６が滑り落ちたとしても障子２０から外れることを防止することが可能である。
【００５２】
障子２０における回転軸３４より上側にて錘２６の位置を調整する場合には、錘２６を回転軸３４と縦框２１、２２の上端とのほぼ中央に配置したときに障子２０の傾斜量の開閉速度等が設計値通りになるように回転軸３４の位置を設定する、または、錘２６を回転軸３４に近接させて配置したときに障子２０の傾斜量や開く速度等が設計値より小さくになるように、回転軸３４の位置を設定する、或いは、錘２６を縦框２１、２２の上端に近接させて配置したときに障子２０の傾斜量や開く速度等が設計値より大きくになるように回転軸３４の位置を設定することにより、障子２０の傾斜量や障子の開閉速度等の調整代を確保することが可能である。
【００５３】
次に、本発明の第２実施形態について説明する。上述した第１実施形態では、図８（ａ）に示すように錘２６が錘固定部材２７に固定され、錘固定部材２７が縦框２１の見込み片部２１１に側方からビスにより固定されていた。ところが、横軸回転窓２が見込面を有する外壁の近傍に設けられていると、外壁の見込面にドライバなどの工具が接触してビスを締められない虞がある。そこで、第２実施形態では、図１０、図１１に示すように、見込み方向からの作業にてビスを締めることにより錘２６を縦框２１の見付け面に固定するための框固定部材５０を備えている構成とした。第２実施形態の説明においては、第１実施形態と同一構成については図中で同符号を付して示し、その説明については省略する。
【００５４】
第２実施形態の横軸回転窓２が備える框固定部材５０は、ステンレス製の板材が屈曲されて形成された本体部５１と、本体部５１に固定され、框固定部材５０が縦框２１に固定されたときに縦框２１と本体部５１との間に介在される樹脂製の緩衝材５２とを有している。
【００５５】
本体部５１は、錘２６と錘固定部材２７との間に介在されて錘固定部材２７とともに錘２６に固定される被挟持部５１ａと、被挟持部５１ａと繋がり縦框２１の室内側見付け片部２１５の室外に臨む面に当接される外当接部５１ｂと、外当接部５１ｂにおいて障子２０の外周側の縁と繋がり室内側に延出された延出部５１ｃと、延出部５１ｃと繋がり室内側見付け片部２１５の室外に臨む面と対向する内対向部５１ｄと、を有している。ここで、錘固定部材２７は、第１実施形態では錘２６を縦框２１に固定する部材として機能していたが、第２実施形態では、室外フック部２１１ａと室内フック部２１５ａとに案内されるスライダーとして機能する。
【００５６】
第１及び第２実施形態においては、縦框２１の室内側見付け片部２１５が錘２６の障子２０の外周側に向かって張り出している張出部に相当し、框固定部材５０は、見込み方向において張出部としての室内側見付け片部２１５の一方側としての室外側から他方側としての室内側に回り込むように弾性変形可能に屈曲させて形成されている。ここで、縦框２１に設けられている張出部は、室内側見付け片部２１５のように縦框の一部をなす部位はもちろんこと、例えば、縦框とは別部材であって縦框に取り付けられる合成樹脂製のタイト材など、障子の外周側に張り出している部位であれば構わない。
【００５７】
緩衝材５２は、直方体状のブロック材であり、アルミにウム製の縦框２１とステンレス製の本体部５１との間に介在される。緩衝材５２は,本体部５１の内対向部５１ｄの錘２６側の面に接着等により固定されている。緩衝材５２の厚みは、室内側見付け片部２１５と合わせた厚みが、外当接部５１ｂと内対向部５１ｄとの間隔より僅かに厚く形成されている。このため、本体部５１と緩衝材５２とが一体となった框固定部材５０が縦框２１の室内側見付け片部２１５に装着されると、本体部５１の弾性により室内側見付け片部２１５が、見込み方向において当該室内側見付け片部２１５の一方側となる室外側から外当接部５１ｂにより、他方側となる室内側から緩衝材５２により、それぞれ押圧されて挟持される。このとき、錘２６、錘固定部材２７とともに固定された框固定部材５０が室内側見付け片部２１５に装着された状態が維持できるように構成されている。このため、錘２６と錘固定部材２７とが固定された框固定部材５０を室内側見付け片部２１５に装着し、障子２０の傾斜量等を調整して錘２６を位置決めし室内側から見込み方向に進入し框固定部材５０の内対向部５１ｄと緩衝材５２を貫通するビス５３により縦框２１の見付け面、すなわち縦框２１の室内側の面２１５ｂに錘２６を固定する。
【００５８】
第２実施形態の横軸回転窓２によれば、錘２６は框固定部材５０が取り付けられて、障子２０が傾斜して開いたときに当該錘２６が固定されている部位が回転軸３４より突出する室内側から縦框２１の室内側の面２１５ｂに固定可能なので、障子２０の錘２６が固定される部位が突出する室内側から容易に固定することが可能である。例えば、横軸回転窓２の近傍に見込み方向に沿う壁が位置している場合には、錘２６を側方から固定するための工具等が使用できない虞がある。このため、壁等の近傍に設けられて側方から工具等が使用できない横軸回転窓２であっても、框固定部材５０により縦框２１の室内側の面２１５ｂに錘２６を容易に固定することが可能である。第２実施形態においては、錘２６が室内側から固定されている例について説明したが、框固定部材５０を見込み方向から縦框２１の見付け面に固定可能であれば、室内側の見付け面であっても室外側の見付け面であっても構わない。
【００５９】
また、縦框２１の錘２６より室内側に設けられた室内側見付け片部２１５の錘２６側から錘２６と反対側に回り込むように弾性変形可能に屈曲された框固定部材５０が、弾性により室内側見付け片部２１５を錘２６側と錘２６と反対側とから押圧して室内側見付け片部２１５を挟持することにより錘２６を所定の位置に保持するので、錘２６を縦框２１に固定することなく框固定部材５０の弾性により保持した状態で錘２６の位置を調節することが可能である。また、框固定部材５０を縦框２１に固定する際に、框固定部材５０及び錘２６を片手で押さえる必要がないので、容易に框固定部材５０を縦框２１に固定することが可能である。
【００６０】
上記第２実施形態においては、框固定部材５０が緩衝材５２を備えている例について説明したが、緩衝材５２は必ずしも設けられていなくとも構わない。例えば、図１２に示すように、外当接部５１ｂと内対向部５１ｄとの間を湾曲させて形成し、室内側見付け片部２１５を錘２６側と錘２６と反対側とから押圧するように構成してもよい。また、框固定部材５０は、錘２６に固定されて錘２６を見込み方向から室内側見付け片部２１５のような張出部に固定可能であれば、必ずしも弾性変形可能な部材でなくとも構わない。また、框固定部材５０を縦框２１の見付け面に固定する固定具はビスに限るものではない。
【００６１】
本発明は、以上の実施形態で説明した構成のものに限定されず、本発明の目的を達成できる範囲での変形例は、本発明に含まれる。
上記実施形態においては、障子２０の自重により、回転軸３４より下側の部位２０ｃが室外側に突出して傾斜して障子２０が開いた状態を維持する例について説明したが、回転軸３４より上側の部位２０ｂが室外側に突出して傾斜して障子２０が開いた状態を維持してもよい。
【００６２】
また、上記実施形態においては、回転軸３４より下側の部位が室外側に突出して傾斜する障子２０における回転軸３４より上側にて錘２６を移動させて障子２０の傾斜量や障子の開閉速度を調整する例について説明したが、これに限るものではない。例えば、回転軸３４より上側の部位が室外側に突出して傾斜する障子２０における回転軸３４より下側にて錘２６を移動させて障子２０の傾斜量や障子の開閉速度を調整する場合であっても、室内側にて錘を移動させて固定する作業を容易に行うことが可能である。また、回転軸３４より下側の部位が室外側に突出して傾斜する障子２０における回転軸３４より下側にて錘２６を移動させて障子２０の傾斜量や障子の開閉速度を調整する、或いは、回転軸３４より上側の部位が室外側に突出して傾斜する障子２０における回転軸３４より上側にて錘２６を移動させて障子２０の傾斜量や障子の開閉速度を調整する構成とすると、例えば、室内側に作業スペースが確保できない、または、室内側から回転窓に近づきにくい場合であっても室外側にて錘を移動させて固定する作業を容易に行うことが可能である。また、錘が回転軸の上側の部位及び下側の部位のそれぞれに設けられている場合には、障子のいずれの側が室外に突出したとしても、室内外のいずれの側であっても、錘を移動させてバランスをとり固定する作業を行うことが可能である。
【００６３】
上記実施形態においては、連窓１の障子２０が面材として単板ガラス２５を備える例について説明したが、これに限らず、複層ガラスであっても構わない。この場合には、障子の重量が大きくなるため、例えば、上記実施形態の連窓１に用いた障子２０より重心位置が室内側寄りの重心位置となる場合には、障子の軸支位置が上記実施形態の軸支位置より室内寄りに位置するようにヒンジ３０を配置する。
また、前記実施形態では、連窓１を説明したが、例えば、各種の回転窓を上下に備えた段窓であっても構わない。
また、上記実施形態においては、障子２０が縦枠との間に設けられた回転軸３４により支持された横軸回転窓２を例に挙げて説明したが、これに限らず、例えば、縦枠にリンク機構を介して、窓枠に対して回転自在に支持された辷り出し窓であっても構わない。
【符号の説明】
【００６４】
１  連窓、２  横軸回転窓、１０  窓枠、２０  障子、２１  縦框、２２  縦框、
２３  上框、２４  下框、２５  単板ガラス、２６  錘、３４  回転軸、
５０  框固定部材、８２  施錠部、８４  連動バー、２１１  見込み片部、
２１１ａ  室外フック部、２１５  室内側見付け片部、２１５ａ  室内フック部、
２１５ｂ  縦框の室内側の面、Ｌ  軌道
【図１】
0006509632.tif 000002
【図２】
0006509632.tif 000003
【図３】
0006509632.tif 000004
【図４】
0006509632.tif 000005
【図５】
0006509632.tif 000006
【図６】
0006509632.tif 000007
【図７】
0006509632.tif 000008
【図８】
0006509632.tif 000009
【図９】
0006509632.tif 000010
【図１０】
0006509632.tif 000011
【図１１】
0006509632.tif 000012
【図１２】
0006509632.tif 000013